(57)【要約】【課題】センサを無線化することによって患者の動作自由度を向上させつつも、生体情報の管理を容易にする。【解決手段】患者情報取得部２１は、患者を識別する患者識別情報を取得する。センサ情報取得部２２は、前記患者に装着されて当該患者の生体情報を取得するセンサ３を識別するセンサ識別情報を取得する。制御部２３は、前記患者識別情報と前記センサ識別情報を関連付ける。無線通信部２４は、前記患者識別情報と関連付けられた前記センサ識別情報により識別されるセンサ３から前記生体情報に対応するセンサ信号を受信する。表示部２０は、前記センサ信号に基づいて前記生体情報を表示する。【選択図】図２
2019115377.tif 000002
【特許請求の範囲】
【請求項１】
患者を識別する患者識別情報を取得する患者情報取得部と、
前記患者に装着されて当該患者の生体情報を取得するセンサを識別するセンサ識別情報を取得するセンサ情報取得部と、
前記患者識別情報と前記センサ識別情報を関連付ける制御部と、
前記患者識別情報と関連付けられた前記センサ識別情報により識別されるセンサから前記生体情報に対応するセンサ信号を受信する無線通信部と、
前記センサ信号に基づいて前記生体情報を表示する表示部と、
を備えている、
携帯情報端末。
【請求項２】
前記無線通信部が少なくとも一つのセンサから当該センサを特定するセンサ識別情報を含むアドバタイジング信号を受信すると、前記制御部は、
当該アドバタイジング信号により特定されるセンサと前記センサ識別情報により識別されるセンサが一致しているかを判断し、
一致の判断がなされたセンサに対して通信認証を要求する信号を前記無線通信部に送信させる、
請求項１に記載の携帯情報端末。
【請求項３】
前記制御部は、前記通信認証が成立したセンサに前記アドバタイジング信号の送信を停止させる信号を前記無線通信部に送信させる、
請求項２に記載の携帯情報端末。
【請求項４】
前記センサ識別情報により識別されるセンサが第一患者に装着された少なくとも一つのセンサと第二患者に装着された少なくとも一つのセンサを含む場合、前記制御部は、前記第一患者に装着された少なくとも一つのセンサの全てについて前記通信認証が成立した後に、前記第二患者に装着された少なくとも一つのセンサに対して前記通信認証を要求する信号を、前記無線通信部に送信させる、
請求項２または３に記載の携帯情報端末。
【請求項５】
前記制御部は、前記通信認証が成立したセンサとの通信中断時間が所定値未満である場合、当該センサとの通信を自動的に回復させる、
請求項２から４のいずれか一項に記載の携帯情報端末。
【請求項６】
前記制御部は、前記通信認証が成立したセンサとの通信中断時間が前記所定値以上である場合、当該センサとの通信を回復することなく報知処理を実行する、
請求項５に記載の携帯情報端末。
【請求項７】
前記患者識別情報と前記センサ識別情報の少なくとも一方は画像情報であり、
前記患者情報取得部と前記センサ情報取得部の少なくとも一方は、前記画像情報を取得するカメラを含んでいる、
請求項１から６のいずれか一項に記載の携帯情報端末。
【請求項８】
患者に装着されるセンサであって、
前記患者の生体情報を取得する情報取得部と、
自身を特定するセンサ識別情報を含むアドバタイジング信号を発信する無線通信部と、
前記無線通信部が携帯情報端末から通信認証の要求を受信すると、当該携帯情報端末へ当該通信認証を成立させる確認信号を当該無線通信部に送信させ、当該通信認証の成立後、前記生体情報に対応するセンサ信号を前記無線通信部に送信させる制御部と、
を備えている、
センサ。
【請求項９】
前記制御部は、前記確認信号の送信後に、当該無線通信部に前記アドバタイジング信号の発信を停止させる、
請求項８に記載のセンサ。
【請求項１０】
患者に装着されて当該患者の生体情報を取得するセンサと、
プロセッサを備えている携帯情報端末と、
を含む生体情報管理システムにおいて、前記プロセッサにより実行される生体情報管理方法であって、
患者を識別する患者識別情報を前記携帯情報端末に取得させるステップと、
前記センサを識別するセンサ識別情報を前記携帯情報端末に識別させるステップと、
前記患者識別情報と前記センサ識別情報を、前記携帯情報端末に関連付けさせるステップと、
前記患者識別情報と関連付けられた前記センサ識別情報により識別されるセンサから前記生体情報に対応するセンサ信号を、前記携帯情報端末に受信させるステップと、
前記センサ信号に基づき、前記携帯情報端末に前記生体情報を表示させるステップと、
を含んでいる、
生体情報管理方法。
【請求項１１】
請求項１０に記載の生体情報管理方法を携帯情報端末に実行させる、
生体情報処理プログラム。
【請求項１２】
請求項１１の生体情報処理プログラムが記憶されている、
コンピュータが読み取り可能な記憶媒体。
【発明の詳細な説明】
【技術分野】
【０００１】
本開示は、患者の生体情報を処理するための携帯情報端末、当該生体情報を取得するために当該患者に装着されるセンサ、生体情報管理方法、当該生体情報管理方法を携帯情報端末に実行させる生体情報処理プログラム、および当該生体情報処理プログラムが記憶されているコンピュータが読み取り可能な記憶媒体に関連する。
【背景技術】
【０００２】
特許文献１は、センサと表示装置を含む生体情報測定システムを開示している。センサは、患者に装着されて当該患者の生体情報を取得する。センサは、表示装置に有線接続される。センサは、取得された生体情報に対応する信号を表示装置へ送信する。表示装置は、受信された信号に対応する当該患者の生体情報を表示する。
【０００３】
特許文献２は、センサ、無線送信器、および表示装置を含む生体情報表示システムを開示している。センサは、患者に装着されて当該患者の生体情報を取得する。センサは、無線送信器に有線接続される。無線送信器は、取得された生体情報に対応する信号を表示装置へ無線送信する。表示装置は、受信された信号に対応する当該患者の生体情報を表示する。
【先行技術文献】
【特許文献】
【０００４】
【特許文献１】特開２０１７−０８６６６４号公報
【特許文献２】特開２００５−１６８６００号公報
【発明の概要】
【発明が解決しようとする課題】
【０００５】
装置の軽量化や患者の動作自由度向上の観点から、センサと表示装置の間に存在する有線接続部分の完全な無線化が望まれている。しかしながら、有線接続は、センサが装着された患者と表示装置または無線送信器との関連付けを視覚的に確認する手段になりうる。
【０００６】
例えば特許文献１に記載された構成においては、センサと表示装置が直接的に有線接続されている。この場合、表示装置に表示されている生体情報が、センサが装着されている患者のものであるという事実が一目瞭然である。センサと表示装置の接続が無線化されると、センサが装着されている患者と表示されている生体情報とが関連付けられているとの確信を得るために、慎重な事前確認作業が必要になる。
【０００７】
特許文献２に記載された構成の場合、表示装置に対しては動作自由度が確保されうる。しかしながら、患者は無線送信器の携帯を義務付けられる。また、センサと無線送信器の接続が無線化されると、両者が同じ患者に関連付けられていることの慎重な事前確認が必要になる。
【０００８】
本開示は、センサを無線化することによって患者の動作自由度を向上させつつも、生体情報の管理を容易にすることを目的とする。
【課題を解決するための手段】
【０００９】
上記の目的を達成するための一態様は、携帯情報端末であって、
患者を識別する患者識別情報を取得する患者情報取得部と、
前記患者に装着されて当該患者の生体情報を取得するセンサを識別するセンサ識別情報を取得するセンサ情報取得部と、
前記患者識別情報と前記センサ識別情報を関連付ける制御部と、
前記患者識別情報と関連付けられた前記センサ識別情報により識別されるセンサから前記生体情報に対応するセンサ信号を受信する無線通信部と、
前記センサ信号に基づいて前記生体情報を表示する表示部と、
を備えている。
【００１０】
上記の目的を達成するための一態様は、
患者に装着されて当該患者の生体情報を取得するセンサと、
プロセッサを備えている携帯情報端末と、
を含む生体情報管理システムにおいて、前記プロセッサにより実行される生体情報管理方法であって、
患者を識別する患者識別情報を前記携帯情報端末に取得させるステップと、
前記センサを識別するセンサ識別情報を前記携帯情報端末に識別させるステップと、
前記患者識別情報と前記センサ識別情報を、前記携帯情報端末に関連付けさせるステップと、
前記患者識別情報と関連付けられた前記センサ識別情報により識別されるセンサから前記生体情報に対応するセンサ信号を、前記携帯情報端末に受信させるステップと、
前記センサ信号に基づき、前記携帯情報端末に前記生体情報を表示させるステップと、
を含んでいる。
【００１１】
上記のような構成によれば、患者識別情報と関連付けられているセンサ識別情報によって識別されるセンサから送信されたセンサ信号に基づく生体情報のみが携帯情報端末の表示部に表示される。
【００１２】
よって、有線接続を伴わずとも、表示部に表示されている生体情報とセンサが装着されている患者が関連付けられているとの確信が容易に得られる。また、患者はセンサ信号を中継するための独立した無線送信器を携帯する必要がない。したがって、センサを無線化することによって患者の動作自由度が向上しつつも、生体情報の管理を容易にできる。
【００１３】
さらに、患者識別情報を格納するためのメモリや、複雑な処理を実行するためのプロセッサを、センサに内蔵させる必要がない。したがって、センサの大型化や重量増を抑制できるだけでなく、使い捨てとされることの多いセンサのコスト増を抑制できる。
【００１４】
上記の目的を達成するための一態様は、上記の生体情報管理方法を携帯情報端末に実行させる、生体情報処理プログラムである。
【００１５】
上記の目的を達成するための一態様は、上記の生体情報処理プログラムが記憶されている、コンピュータが読み取り可能な記憶媒体である。
【図面の簡単な説明】
【００１６】
【図１】一実施形態に係る生体情報管理システムの構成を示している。
【図２】上記の生体情報管理システムの携帯情報端末とセンサの構成を示している。
【図３】上記の携帯情報端末により行なわれる処理の流れを示している。
【図４】上記の生体情報管理システムの別構成例を示している。
【図５】上記の携帯情報端末とセンサの間で行なわれる通信認証処理の流れを示している。
【図６】上記の通信認証処理を説明するための図である。
【発明を実施するための形態】
【００１７】
添付の図面を参照しつつ、実施形態の例を以下詳細に説明する。図１は、一実施形態に係る生体情報管理システム１の構成例を模式的に示している。
【００１８】
生体情報管理システム１は、患者の生体情報を管理するシステムである。図１においては、患者として第一患者Ｐ１と第二患者Ｐ２が示されている。生体情報は、各種の生体パラメータの値を含む。生体パラメータとしては、体温、血圧、心電図、脳波、動脈血酸素飽和度（ＳｐＯ２）などが例示されうる。生体情報管理システム１は、携帯情報端末２、センサ３、および患者識別子４を含んでいる。
【００１９】
携帯情報端末２は、表示機能と情報処理機能を有する可搬型の装置である。携帯情報端末２としては、スマートフォン、タブレット端末、ヘッドマウントディスプレイなどが例示されうる。携帯情報端末２の詳細な構成については後述する。
【００２０】
センサ３は、患者に装着されて当該患者の生体情報を取得する装置である。センサ３は、センサ識別子を備えている。センサ識別子は、センサ個体を特定する情報を保有している。センサ個体を特定する情報は、製造番号を示すテキストやバーコードなどの画像データの態様でセンサの包装やセンサ本体上に提供されてもよいし、非接触通信を介して伝送される非画像データの態様で提供されてもよい。
【００２１】
図１においては、センサ３として第一センサ３Ａ、第二センサ３Ｂ、および第三センサ３Ｃが示されている。第一センサ３Ａは、第一患者Ｐ１の胸部に装着されている。第二センサ３Ｂは、第一患者Ｐ１の指先に装着されている。第三センサ３Ｃは、第二患者Ｐ２の胸部に装着されている。第一センサ３Ａと第三センサ３Ｃは、例えば心電図を取得するための電極である。第二センサ３Ｂは、例えば動脈血酸素飽和度を取得するためのプローブである。
【００２２】
患者識別子４は、患者個人を特定する情報を保有している物体である。患者識別子４としては、患者の腕に装着されるリストバンド、患者の衣服に装着されるネームプレート、患者のベッドや病室に装着されるネームプレートなどが例示されうる。患者個人を特定する情報は、患者氏名や患者番号を示すテキストやバーコードなどの画像データの態様で提供されてもよいし、非接触通信を介して伝送される非画像データの態様で提供されてもよい。
【００２３】
図１においては、患者識別子４として第一患者識別子４Ａと第二患者識別子４Ｂが示されている。第一患者識別子４Ａは、第一患者Ｐ１の衣服にネームプレートの態様で装着されている。第二患者識別子４Ｂは、第二患者Ｐ２の腕にリストバンドの態様で装着されている。
【００２４】
図２の（Ａ）は、携帯情報端末２の機能的構成を示している。携帯情報端末２は、表示部２０、患者情報取得部２１、センサ情報取得部２２、制御部２３、および無線通信部２４を備えている。表示部２０、患者情報取得部２１、センサ情報取得部２２、制御部２３、および無線通信部２４は、相互に通信可能に接続されている。
【００２５】
表示部２０は、各種の情報を表示可能に構成されている。表示部２０としては、液晶表示装置や有機ＥＬ表示装置が例示されうる。表示部２０は、タッチ入力を許容するタッチパネル装置を含みうる。
【００２６】
患者情報取得部２１は、患者識別子４から患者識別情報を取得するように構成されている。患者識別情報がテキストやバーコードなどの画像情報として提供されている場合、患者情報取得部２１は、当該画像情報を取得可能なカメラを含むように構成されうる。患者識別情報が非画像データとして提供されている場合、患者情報取得部２１は、当該非画像データを非接触で取得可能な近接場型無線通信（ＮＦＣ）やブルートゥース（登録商標）無線通信が可能な装置を含むように構成されうる。
【００２７】
センサ情報取得部２２は、センサ３からセンサ識別情報を取得するように構成されている。センサ識別情報がテキストやバーコードなどの画像情報として提供されている場合、センサ情報取得部２２は、当該画像情報を取得可能なカメラを含むように構成されうる。センサ識別情報が非画像データとして提供されている場合、センサ情報取得部２２は、当該非画像データを非接触で取得可能な近接場型無線通信（ＮＦＣ）やブルートゥース（登録商標）無線通信が可能な装置を含むように構成されうる。
【００２８】
制御部２３は、患者情報取得部２１によって取得された患者識別情報とセンサ情報取得部２２によって取得されたセンサ識別情報とを関連付ける処理を行なうように構成されている。図１と図３を参照しつつ、当該処理の一例を詳細に説明する。
【００２９】
図３に示されるように、まず患者情報取得部２１による患者識別情報の取得がなされる（ＳＴＥＰ３１）。例えば、制御部２３は、ユーザに患者識別情報の取得を促すメッセージを表示部２０に表示させる。図１に示される例の場合、当該ユーザは、患者情報取得部２１を用いて第一患者Ｐ１の第一患者識別子４Ａから第一患者Ｐ１の患者識別情報ＰＩＤ１を取得する。
【００３０】
続いてセンサ情報取得部２２によるセンサ識別情報の取得がなされる（ＳＴＥＰ３２）。例えば、制御部２３は、ユーザにセンサ識別情報の取得を促すメッセージを表示部２０に表示させる。図１に示される例の場合、当該ユーザは、センサ情報取得部２２を用いて第一患者Ｐ１に装着された第一センサ３Ａのセンサ識別情報ＳＩＤ１と第二センサ３Ｂのセンサ識別情報ＳＩＤ２を取得する。
【００３１】
患者識別情報の取得とセンサ識別情報の取得の双方が完了した事実がユーザによって携帯情報端末２へ通知されると、制御部２３による患者識別情報とセンサ識別情報の関連付けがなされる（ＳＴＥＰ３３）。携帯情報端末２への通知は、所定のボタン（表示部２０に表示されるものを含む）の操作や音声入力によってなされうる。
【００３２】
本例の場合、制御部２３は、第一患者識別子４Ａより取得された患者識別情報ＰＩＤ１を、第一センサ３Ａから取得されたセンサ識別情報ＳＩＤ１および第二センサ３Ｂから取得されたセンサ識別情報ＳＩＤ２に関連付け、所定の記憶領域に格納する。これにより、第一患者Ｐ１に第一センサ３Ａと第二センサ３Ｂが装着されているという事実を示す情報が格納される。
【００３３】
続いて追加登録の有無が確認される（ＳＴＥＰ３４）。例えば、制御部２３は、追加登録の有無を確認するためのメッセージを表示部２０に表示させる。図１に示される例の場合、第二患者Ｐ２が存在する。したがって、ユーザは、追加登録が必要である旨を携帯情報端末２に入力する（ＳＴＥＰ３４においてＹ）。
【００３４】
この場合、前述した患者識別情報の取得（ＳＴＥＰ３１）、センサ識別情報の取得（ＳＴＥＰ３２）、および患者識別情報とセンサ識別情報の関連付け（ＳＴＥＰ３３）が繰り返される。図１に示される例の場合、第二患者識別子４Ｂから取得された患者識別情報ＰＩＤ２と第三センサ３Ｃから取得されたセンサ識別情報ＳＩＤ３とが関連付けられ、所定の記憶領域に格納される。これにより、第二患者Ｐ２に第三センサ３Ｃが装着されているという事実を示す情報が格納される。
【００３５】
患者識別情報の取得（ＳＴＥＰ３１）とセンサ識別情報の取得（ＳＴＥＰ３２）の順序は、逆でもよい。しかしながら、両識別情報の取得と関連付けを含む一連の処理は、患者ごとになされる。
【００３６】
続いて追加登録の有無の確認がなされる（ＳＴＥＰ３４）。図１に示される例の場合、追加登録を要する患者は存在しない。したがって、ユーザは、追加登録が不要である旨を携帯情報端末２に入力する（ＳＴＥＰ３４においてＮ）。
【００３７】
図２の（Ａ）に示される無線通信部２４は、センサ３と無線通信を行なうことが可能な周知の構成を備えている。制御部２３は、患者識別情報と関連付けられたセンサ識別情報により識別されるセンサ３に対して通信の認証を要求するように構成されている。
【００３８】
図２の（Ｂ）は、センサ３の機能的構成を示している。センサ３は、情報取得部３０、無線通信部３１、および制御部３２を備えている。情報取得部３０、無線通信部３１、および制御部３２は、相互に通信可能に接続されている。
【００３９】
センサ３は、情報取得部３０を介して患者の生体情報を取得するように構成されている。すなわち、情報取得部３０は、取得しようとする患者の生体情報に応じた適宜の構成を備えている。
【００４０】
無線通信部３１は、携帯情報端末２と無線通信を行なうことが可能な周知の構成を備えている。
【００４１】
制御部３２は、無線通信部３１が通信認証を要求する信号を受信すると、無線通信部３１に、当該信号を送信した携帯情報端末２へ向けて確認信号を返信させるように構成されている。この確認信号が携帯情報端末２によって受信されると、これらの携帯情報端末２とセンサ３の間で無線通信の認証が成立する。
【００４２】
制御部３２は、無線通信部３１に、通信認証が成立した携帯情報端末２へ向けてセンサ信号を送信させるように構成されている。センサ信号は、情報取得部３０が取得した生体情報に対応する信号である。
【００４３】
図３に示されるように、センサ３から送信されたセンサ信号は、携帯情報端末２によって受信される（ＳＴＥＰ３５）。すなわち、携帯情報端末２の無線通信部２４は、患者識別情報と関連付けられたセンサ識別情報により識別されるセンサ３からセンサ信号を受信する。図１に示される例の場合、無線通信部２４は、第一センサ３Ａ、第二センサ３Ｂ、および第三センサ３Ｃの各々からセンサ信号を受信する。
【００４４】
続いて、携帯情報端末２の表示部２０において生体情報の表示がなされる（ＳＴＥＰ３６）。無線通信部２４によって受信されたセンサ信号は、適宜の処理を経て可視化され、センサ３によって取得された生体情報として表示部２０に表示される。図１に示される例の場合、第一患者Ｐ１の生体情報として第一センサ３Ａによって取得された心電図と第二センサ３Ｂによって取得された動脈血酸素飽和度が表示され、第二患者Ｐ２の生体情報として第三センサ３Ｃによって取得された心電図が表示される。
【００４５】
上記のような構成によれば、患者識別情報と関連付けられているセンサ識別情報によって識別されるセンサ３から送信されたセンサ信号に基づく生体情報のみが携帯情報端末２の表示部２０に表示される。
【００４６】
例えば、図１に示される第二患者Ｐ２について上記の関連付け処理が行なわれなかった場合、携帯情報端末２と第三センサ３Ｃの間で無線通信は行なわれない。したがって、第三センサ３Ｃからのセンサ信号に基づく第二患者Ｐ２の生体情報は、携帯情報端末２の表示部２０に表示されない。
【００４７】
図４に示されるように、携帯情報端末２は、第一携帯情報端末２Ａと第二携帯情報端末２Ｂを含みうる。第一携帯情報端末２Ａにおいて第一患者Ｐ１と第一センサ３Ａおよび第二センサ３Ｂの関連付け処理がなされ、第二携帯情報端末２Ｂにおいて第二患者Ｐ２と第三センサ３Ｃの関連付け処理がなされた場合、第一センサ３Ａと第二センサ３Ｂに係る生体情報は第二携帯情報端末２Ｂには表示されず、第三センサ３Ｃに係る生体情報は、第一携帯情報端末２Ａには表示されない。
【００４８】
よって、有線接続を伴わずとも、表示部２０に表示されている生体情報とセンサ３が装着されている患者が関連付けられているとの確信が容易に得られる。また、患者はセンサ信号を中継するための独立した無線送信器を携帯する必要がない。したがって、センサ３を無線化することによって患者の動作自由度が向上しつつも、生体情報の管理を容易にできる。
【００４９】
さらに、患者識別情報を格納するためのメモリや、複雑な処理を実行するためのプロセッサを、センサ３に内蔵させる必要がない。したがって、センサ３の大型化や重量増を抑制できるだけでなく、使い捨てとされることの多いセンサ３のコスト増を抑制できる。
【００５０】
次に、患者識別情報と関連付けられたセンサ識別信号により識別されるセンサ３と通信認証を成立させるための一構成例について、図５と図６を参照しつつ説明する。ここでは、第一携帯情報端末２Ａにおいて第一患者Ｐ１と第一センサ３Ａおよび第二センサ３Ｂの関連付け処理がなされ、第二携帯情報端末２Ｂにおいて第二患者Ｐ２と第三センサ３Ｃの関連付け処理がなされた場合について説明する。
【００５１】
センサ３の無線通信部３１は、アドバタイジング信号を発信するように構成されうる。アドバタイジング信号は、発信元のセンサ３の個体を特定するセンサ識別情報を含む。図２の（Ｂ）に示されるように、センサ３は、識別情報格納部３３を備えうる。アドバタイジング信号に含まれるセンサ識別情報は、識別情報格納部３３に格納されうる。
【００５２】
携帯情報端末２の制御部２３は、無線通信部２４がアドバタイジング信号を受信すると、当該アドバタイジング信号により特定されるセンサと、センサ情報取得部２２により取得されたセンサ識別情報により識別されるセンサとが一致しているかを判断するように構成されうる。換言すると、制御部２３は、アドバタイジング信号により特定されるセンサと、患者識別情報と関連付けられたセンサ識別情報により識別されるセンサとが一致しているかを判断するように構成されうる。
【００５３】
本例の場合、図６の（Ａ）に示されるように、第一携帯情報端末２Ａの無線通信部２４と第二携帯情報端末２Ｂの無線通信部２４の双方が、第一センサ３Ａ、第二センサ３Ｂ、および第三センサ３Ｃの各々から発信されたアドバタイジング信号を受信する（図５のＳＴＥＰ５１）。
【００５４】
アドバタイジング信号により特定されるセンサ３が第一センサ３Ａである場合、第一携帯情報端末２Ａの制御部２３は、患者識別情報と関連付けられているセンサ識別情報により特定されるセンサ３に第一センサ３Ａが含まれているかを判断する（ＳＴＥＰ５２）。
【００５５】
第一携帯情報端末２Ａにおいては、第一センサ３Ａを識別するセンサ識別情報ＳＩＤ１が第一患者Ｐ１の患者識別情報ＰＩＤ１と関連付けられている（ＳＴＥＰ５２においてＹ）。続いて、当該判断に供されていないアドバタイジング信号の有無が確認される（ＳＴＥＰ５３）。本例の場合、第二センサ３Ｂから発信されたアドバタイジング信号と第三センサ３Ｃから発信されたアドバタイジング信号が、上記の判断に供されていない（ＳＴＥＰ５３においてＮ）。よって、処理はＳＴＥＰ５２に戻る。
【００５６】
アドバタイジング信号により特定されるセンサ３が第二センサ３Ｂである場合、第一携帯情報端末２Ａの制御部２３は、患者識別情報と関連付けられているセンサ識別情報により特定されるセンサ３に第二センサ３Ｂが含まれているかを判断する（ＳＴＥＰ５２）。
【００５７】
第一携帯情報端末２Ａにおいては、第二センサ３Ｂを識別するセンサ識別情報ＳＩＤ２が第一患者Ｐ１の患者識別情報ＰＩＤ１と関連付けられている（ＳＴＥＰ５２においてＹ）。続いて、当該判断に供されていないアドバタイジング信号の有無が確認される（ＳＴＥＰ５３）。第三センサ３Ｃから発信されたアドバタイジング信号が、未だ上記の判断に供されていないので（ＳＴＥＰ５３においてＹ）、処理は再度ＳＴＥＰ５２に戻る。
【００５８】
アドバタイジング信号により特定されるセンサ３が第三センサ３Ｃである場合、第一携帯情報端末２Ａの制御部２３は、患者識別情報と関連付けられているセンサ識別情報により特定されるセンサ３に第三センサ３Ｃが含まれているかを判断する（ＳＴＥＰ５２）。
【００５９】
第一携帯情報端末２Ａにおいては、第三センサ３Ｃを識別するセンサ識別情報ＳＩＤ３は、第一患者Ｐ１の患者識別情報ＰＩＤ１と関連付けられていない（ＳＴＥＰ５２においてＮ）。この場合、図６の（Ｂ）に示されるように、第一携帯情報端末２Ａの制御部２３は、第三センサ３Ｃから発信されたアドバタイジング信号を無視する（ＳＴＥＰ５４）。
【００６０】
第二携帯情報端末２Ｂにおいても同様の処理が実行される。前述のように、第二携帯情報端末２Ｂにおいては、第三センサ３Ｃを識別するセンサ識別情報ＳＩＤ３が、第二患者Ｐ２の患者識別情報ＰＩＤ２と関連付けられている。よって、図６の（Ｂ）に示されるように、第一センサ３Ａと第二センサ３Ｂの各々から発信されたアドバタイジング信号は無視され、第三センサ３Ｃのみが後述する処理の対象となる。
【００６１】
携帯情報端末２の制御部２３は、アドバタイジング信号により特定されるセンサとセンサ識別情報により識別されるセンサとが一致していると判断した場合、当該センサに対して通信認証を要求するように構成されうる。
【００６２】
本例の場合、第一携帯情報端末２Ａの制御部２３は、第一センサ３Ａに対して通信認証を要求する信号を、無線通信部２４に送信させる（ＳＴＥＰ５５）。
【００６３】
前述のように、センサ３の制御部３２は、無線通信部３１が通信認証を要求する信号を受信すると、無線通信部３１に、当該信号を送信した携帯情報端末２へ向けて確認信号を返信させる。
【００６４】
本例の場合、第一センサ３Ａの無線通信部３１が第一携帯情報端末２Ａからの認証要求信号を受信し、第一センサ３Ａの制御部３２は、第一センサ３Ａの無線通信部３１に、第一携帯情報端末２Ａへ確認信号を返信させる。第一携帯情報端末２Ａの無線通信部２４は、第一センサ３Ａからの確認信号を受信する（ＳＴＥＰ５６）。これにより、第一携帯情報端末２Ａと第一センサ３Ａとの間で無線通信の認証が成立する（ＳＴＥＰ５７）。
【００６５】
続いて未認証のセンサの有無が判断される（ＳＴＥＰ５８）。本例の場合、第二センサ３Ｂが未だ認証に供されていない（ＳＴＥＰ５８においてＹ）。よって、処理はＳＴＥＰ５５に戻る。
【００６６】
第一携帯情報端末２Ａの制御部２３は、第二センサ３Ｂに対して通信認証を要求する信号を、無線通信部２４に送信させる（ＳＴＥＰ５５）。第二センサ３Ｂの無線通信部３１は、第一携帯情報端末２Ａからの認証要求信号を受信する。第二センサ３Ｂの制御部３２は、第二センサ３Ｂの無線通信部３１に、第一携帯情報端末２Ａへ確認信号を返信させる。第一携帯情報端末２Ａの無線通信部２４は、第二センサ３Ｂからの確認信号を受信する（ＳＴＥＰ５６）。これにより、第一携帯情報端末２Ａと第二センサ３Ｂとの間で無線通信の認証が成立する（ＳＴＥＰ５７）。
【００６７】
本例の場合、第一携帯情報端末２Ａについては、未認証のセンサは存在しない（ＳＴＥＰ５８においてＮ）。よって認証処理が終了する。
【００６８】
第二携帯情報端末２Ｂにおいても同様の処理が実行される。第二携帯情報端末２Ｂの制御部２３は、第三センサ３Ｃに対して通信認証を要求する信号を、無線通信部２４に送信させる（ＳＴＥＰ５５）。第三センサ３Ｃの無線通信部３１は、第二携帯情報端末２Ｂからの認証要求信号を受信する。第三センサ３Ｃの制御部３２は、第三センサ３Ｃの無線通信部３１に、第二携帯情報端末２Ｂへ確認信号を返信させる。第二携帯情報端末２Ｂの無線通信部２４は、第三センサ３Ｃからの確認信号を受信する（ＳＴＥＰ５６）。これにより、第二携帯情報端末２Ｂと第三センサ３Ｃとの間で無線通信の認証が成立し（ＳＴＥＰ５７）、認証処理が終了する。
【００６９】
アドバタイジング信号を利用するこのような構成によれば、携帯情報端末２とセンサ３の間の通信認証処理の自動化が容易となる。
【００７０】
携帯情報端末２の制御部２３は、通信認証が成立したセンサにアドバタイジング信号の発信を停止させる停止要求信号を、無線通信部２４に送信させるように構成されうる。
【００７１】
センサ３の制御部３２は、無線通信部３１が携帯情報端末２から停止要求信号を受信すると、無線通信部３１にアドバタイジング信号の発信を停止させるように構成されうる。
【００７２】
すなわち、図５に破線で示されるように、携帯情報端末２の制御部２３は、通信認証が成立したセンサにアドバタイジング信号の発信の停止を要求しうる（ＳＴＥＰ５９）。
【００７３】
上記の例の場合、第一携帯情報端末２Ａの制御部２３は、第一センサ３Ａと第二センサ３Ｂの各々に対し、アドバタイジング信号の発信を停止させる停止要求信号を、無線通信部２４に送信させる。第一センサ３Ａと第二センサ３Ｂの各々の制御部３２は、無線通信部３１にアドバタイジング信号の発信を停止させる。
【００７４】
このような構成によれば、携帯情報端末２が複数存在する場合において、通信認証処理の負荷を軽減できる。
【００７５】
例えば、第二携帯情報端末２Ｂにおいて第三センサ３Ｃとの通信認証処理が行なわれる間に第一センサ３Ａと第二センサ３Ｂがアドバタイジング信号の発信を停止すると、通信認証の候補から第一センサ３Ａと第二センサ３Ｂが除かれる。したがって、第二携帯情報端末２Ｂと第三センサ３Ｃの間で通信認証を成立させるまでの時間を短縮できる場合がある。
【００７６】
アドバタイジング信号の発信停止は、携帯情報端末２からの要求に応じて行なわれなくてもよい。例えば、センサ３の制御部３２は、確認信号の返信を以って携帯情報端末２との通信が確立したとみなし、アドバタイジング信号の発信を自発的に停止するように構成されうる。
【００７７】
携帯情報端末２の制御部２３は、ある患者に装着されたセンサ３の全てについて通信認証を成立させた後に、別の患者に装着されたセンサについて通信認証処理を開始するように構成されうる。一例として、同一の携帯情報端末２において、第一センサ３Ａと第二センサ３Ｂが第一患者Ｐ１に関連付けられており、第三センサ３Ｃが第二患者Ｐ２に関連付けられている場合を説明する。
【００７８】
この場合、第一患者Ｐ１に関連付けられた第一センサ３Ａと第二センサ３Ｂに対して、図５を参照して説明した通信認証処理がまず実行される。第二患者Ｐ２に関連付けられた第三センサ３Ｃに通信認証を要求する信号の送信は、第一センサ３Ａと第二センサ３Ｂの双方について携帯情報端末２との間で通信認証が成立した後に行なわれる。第一患者Ｐ１と第二患者Ｐ２に係る順序は逆でもよい。
【００７９】
このような構成によれば、認証処理を自動化しつつも、第二患者Ｐ２に関連付けられているセンサ３が、第一患者Ｐ１に関連付けられているセンサとして誤って通信認証されてしまうリスクを軽減できる。
【００８０】
センサ３から携帯情報端末２へのセンサ信号の送信が無線通信を介して行なわれるので、通信環境によっては通信が中断する場合がありうる。携帯情報端末２の制御部２３は、通信認証が成立したセンサ３との通信中断時間が所定値未満である場合、当該センサ３との通信を自動的に回復させるように構成されうる。
【００８１】
このような構成によれば、通信が中断する度に前述の通信認証処理が実行される煩わしさを回避できる。したがって、ユーザにより快適な利用環境を提供できる。
【００８２】
他方、携帯情報端末２の制御部２３は、通信認証が成立したセンサ３との通信中断時間が所定値以上である場合、当該センサとの通信を回復することなく報知処理を実行するように構成されうる。報知処理は、視覚的報知、聴覚的報知、および触覚的報知の少なくとも一つを用いてユーザに対してなされる。報知処理としては、メッセージの表示、特定の光源の点灯、警告音の出力、振動の発生などが例示されうる。
【００８３】
通信中断時間が所定値以上となる原因としては、センサ３の装着位置ずれ、脱落、故障などが考えられうる。このような状況においては、通信回復を試みる処理の実行よりも現状確認が優先されるべきである。上記の構成によれば、不慮の事態における無線通信環境の迅速な回復をユーザに促すことができる。
【００８４】
患者情報取得部２１とセンサ情報取得部２２の各々については、幾つかの採りうる構成例を前述した。しかしながら、患者情報取得部２１とセンサ情報取得部２２の少なくとも一方は、カメラを含むことが好ましい。すなわち、患者識別情報とセンサ識別情報の少なくとも一方は、画像情報として提供されることが好ましい。この場合、ユーザは、カメラで患者識別情報とセンサ識別情報の少なくとも一方を撮影することによって、当該情報を取得する。
【００８５】
携帯情報端末２は、汎用のカメラを備えていることが一般的である。上記の構成によれば、専用の装置を追加することなく患者識別情報とセンサ識別情報の少なくとも一方を容易に取得できる。また、情報の取得に際して視覚的な認識を伴うため、作業の確実性と信頼性が向上する。
【００８６】
携帯情報端末２における患者情報取得部２１、センサ情報取得部２２、制御部２３、および無線通信部２４の少なくとも一つの機能の少なくとも一部は、携帯情報端末２が備えているプロセッサとメモリの協働によって実現されうる。
【００８７】
プロセッサとしては、ＣＰＵ、ＭＰＵ、ＧＰＵなどが例示されうる。プロセッサは、複数のプロセッサコアを有しうる。メモリとしては、ＲＯＭやＲＡＭなどが例示されうる。ＲＯＭには、プロセッサにより実行される各種のプログラムなどが格納されうる。ＲＡＭは、プロセッサにより実行される各種のプログラムなどが格納される複数のワークエリアを有している。例えば、プロセッサは、ＲＯＭに格納されたプログラムの少なくとも一部を指定してプログラムをＲＡＭ上に展開し、ＲＡＭと協働して各種の処理を実行する。
【００８８】
上記の実施形態は、本発明の理解を容易にするための例示にすぎない。上記の実施形態に係る構成は、本発明の趣旨を逸脱しなければ、適宜に変更・改良されうる。
【００８９】
図１と図４に示されている患者の数、携帯情報端末２の数、センサ３の数は、一例に過ぎない。それぞれの数は、適宜に定められうる。
【００９０】
上記の実施形態においては、上述した生体情報管理方法を携帯情報端末２のプロセッサに実行させるための生体情報処理プログラムは、携帯情報端末２のメモリに格納されている。しかしながら、上述した生体情報管理方法の少なくとも一部は、携帯情報端末２が接続可能なネットワーク上に配置されたサーバ装置のプロセッサにより実行されてもよい。この場合、上述した生体情報管理方法の少なくとも一部を携帯情報端末２のプロセッサに実行させる生体情報処理プログラムの少なくとも一部は、当該サーバ装置の記憶部に格納される。
【００９１】
第一携帯情報端末２Ａにおいて表示に供される生体情報と第二携帯情報端末２Ｂにおいて表示に供される生体情報は、それぞれ不図示のセントラルモニタへ無線送信されうる。当該セントラルモニタにおいては、第一携帯情報端末２Ａを通じて管理されている少なくとも一人の患者の生体情報と、第二携帯情報端末２Ｂを通じて管理されている少なくとも一人の患者の生体情報が、集中管理のために一括表示されうる。
【符号の説明】
【００９２】
１：生体情報管理システム、２：携帯情報端末、２Ａ：第一携帯情報端末、２Ｂ：第二携帯情報端末、２０：表示部、２１：患者情報取得部、２２：センサ情報取得部、２３：制御部、２４：無線通信部、３：センサ、３Ａ：第一センサ、３Ｂ：第二センサ、３Ｃ：第三センサ、３０：情報取得部、３１：無線通信部、３２：制御部
【図１】
2019115377.tif 000003
【図２】
2019115377.tif 000004
【図３】
2019115377.tif 000005
【図４】
2019115377.tif 000006
【図５】
2019115377.tif 000007
【図６】
2019115377.tif 000008